(57)【要約】【課題】吸着力が強く、被吸着面に粗面部があっても吸着可能であり、また、部分的に吸着力が低下しても全体としては優れた吸着力を保持する吸盤を提供する。【解決手段】  軟質弾性材料からなり、大径椀体２Ａの内部に少なくとも１個の小径椀体２Ｂが同心状に一体的に成形され、頂部に係着部４を設けたことを特徴とする。【選択図】図１
0003105275.tif 000002
【実用新案登録請求の範囲】
【請求項１】
軟質弾性材料からなり、大径椀体の内部に少なくとも１個の小径椀体が同心状に一体的に成形され、頂部に係着部を設けたことを特徴とする吸盤。
【請求項２】
小径椀体の深さが大径椀体の深さよりも小さい請求項１記載の吸盤。
【請求項３】
大径椀体の内部に１〜２個の小径椀体が同心状に一体的に成形されている請求項１又は２記載の吸盤。
【請求項４】
大径椀体と小径椀体との間に形成される吸着部が仕切壁により複数個の小吸着部に区画されている請求項１〜３のいずれか１項に記載の吸盤。
【請求項５】
小径椀体内の吸着部が仕切壁により複数個の小吸着部に区画されている請求項１〜４のいずれか１項に記載の吸盤。
【考案の詳細な説明】
【技術分野】
【０００１】
本考案は、吸盤に関し、更に詳しくは、吸着力が強く、被吸着面に粗面部があっても吸着可能であり、また、部分的に吸着力が低下しても全体としては優れた吸着力を保持する吸盤に関する。
【背景技術】
【０００２】
従来、この種の吸盤は、通常、一重の椀体により形成される１個の吸着部よりなるため、吸着力に限度があり大きな荷重には耐えることができない。また、被吸着面に粗面部があったりすると、吸着できなかったり、吸着できたとしても十分な吸着力が得られず、短時間で脱落するという問題を有していた。
【０００３】
上記問題を解消せんとして、小径の押さえ椀体で吸盤の中央部を圧接し、大径の押さえ椀体で吸盤の外周部を圧接し、二重に圧接する吸盤が提案されている（例えば、特許文献１参照）。
【０００４】
また、吸気管の下端に小吸盤と大吸盤とを同心状に二重に固着するとともに、小吸盤及び大吸盤を蛇腹状の伸縮体で構成した物品の吸着搬送吸盤が提案されている（例えば、特許文献２参照）。
【特許文献１】特開平５−２２００４２号公報（図３、図４）
【特許文献２】特開２００３−２２５８８０号公報（図１、図２）
【考案の開示】
【考案が解決しようとする課題】
【０００５】
しかしながら、前者の吸盤は大径の押さえ椀体と小径の押さえ椀体とで吸盤の内周面及び外周面を圧接するため、構造が極めて複雑となり、製造も容易ではなく、いきおい高価とならざるを得ない。
【０００６】
一方、後者の吸盤についても構造が複雑であるばかりでなく、吸盤も蛇腹状の伸縮体からなるため、容易に製造することが困難で、やはり高価となるのを避けられない。
【０００７】
本考案はかかる実情に鑑み、これらの問題点を解消し、安価で、吸着力が強く、被吸着面に粗面部があっても吸着可能であり、また、部分的に吸着力が低下しても全体としては十分な吸着力を有する吸盤を提供するものである。
【課題を解決するための手段】
【０００８】
上記目的を達成するための本考案の請求項１は、軟質弾性材料からなり、大径椀体の内部に少なくとも１個の小径椀体が同心状に一体的に成形され、頂部に係着部を設けたことを特徴とする吸盤を内容とする。
【０００９】
本考案の請求項２は、小径椀体の深さが大径椀体の深さよりも小さい請求項１記載の吸盤を内容とする。
【００１０】
本考案の請求項３は、大径椀体の内部に１個の小径椀体が同心状に一体的に成形されている請求項１又は２記載の吸盤を内容とする。
【００１１】
本考案の請求項４は、大径椀体と小径椀体との間に形成される小吸着部が仕切壁により複数個の小吸着部に区画されている請求項１〜３のいずれか１項に記載の吸盤を内容とする。
【００１２】
本考案の請求項５は、小径椀体内の吸着部が仕切壁により複数個の小吸着部に区画されている請求項１〜４のいずれか１項に記載の吸盤を内容とする。
【考案の効果】
【００１３】
本考案の吸盤は、大小複数個の椀体を同心状に一体的に成形してなるので、極めて簡単な構造からなり、吸着部が複数層形成される。従って、本考案の吸盤は、複数層の吸着部で吸着されるので強力な吸着力を発揮し、例えば、被吸着面に粗面部があっても吸着可能である。また、例えば、一つの吸着部の吸着力が低下又は失われたとしても、他の吸着部の吸着力が保持されるので、全体として優れた吸着力を保持することができる。
【００１４】
また、大径椀体と小径椀体との間に形成される吸着部及び／又は最内側の小径椀体内の吸着部を仕切壁により複数個の小吸着部に区画することにより、該小吸着部のうちの一つの小吸着部が吸着力が低下又は失われたとしても、他の小吸着部の吸着力が保持されるので、全体として優れた吸着力を保持することができる。
【考案を実施するための最良の形態】
【００１５】
本考案は、軟質弾性材料からなり、大径椀体の内部に少なくとも１個の小径椀体が同心状に一体的に成形され、頂部に係着部を設けられてなることを特徴とする。
【００１６】
本考案の吸盤は、大径椀体の内部に小径椀体が同心状に一体的に形成される。小径椀体は少なくとも１個設けられ、上限は特に制限されないが、実用性及び製造の容易性からは１〜２個が好ましい。小径椀体が１個の場合は、大径椀体と小径椀体との間に形成される吸着部と小径椀体内の吸着部との２個の吸着部が形成される。また、小径椀体が２個の場合には、大径椀体と第１の小径椀体との間に形成される吸着部と、第１の小径椀体と、該第１の小径椀体よりも小径の第２の小径椀体との間に形成される吸着部、及び第２の小径椀体内の吸着部との３個の吸着部が形成される。
【００１７】
小径椀体は大径椀体よりも小さい深さに形成される。小径椀体が上記したように２個の場合は、第２の小径椀体は第１の小径椀体よりも小さい深さに形成される。即ち、内側の椀体になるほど深さが小さくなるように形成される。
【００１８】
大径椀体と小径椀体との間に形成される吸着部及び／又は最内側の小径椀体内の吸着部は、仕切壁により複数個の小吸着部に区画することもできる。
仕切壁が余り多いと、吸着部を押圧して吸着部内部の空気を排出させて低圧とし吸着力を発現させる際に、大きな押圧力を要することになるので２〜８個程度が好ましい。また、仕切壁が余り厚くなると、同じく、大きな押圧力を必要とするので、できるだけ薄くするのが好ましく、また先端に近づく程薄くして柔らかくすることが好ましい。
【００１９】
吸盤の頂部には係着部が設けられる。係着部は、フック、物干棒、トレイ、小棚等の吸盤により支持させる物を係着・支持するためのもので、挿通孔、凹孔等の係着手段が設けられる。
【００２０】
本考案の吸盤の材料は特に制限されず、公知の軟質弾性材料が用いられ、例えば軟質塩化ビニル樹脂、軟質エラストマーやゴム等が用いられる。本考案の吸盤は、これらの材料を用いて、射出成形等により容易に製造することができる。
【００２１】
以下、実施例を挙げて本考案を更に詳細に説明するが、本考案はかかる実施例のみに制限されないことは云うまでもない。
【実施例】
【００２２】
実施例１
本実施例の吸盤１は、図１に示すように、大径椀体２Ａの内側に１個の小径椀体２Ｂが同心状に且つ一体的に成形され、小径椀体２Ｂの深さは大径椀体２Ａの深さよりも小さく形成されている。また、頂部には挿通孔３を有する係着部４が設けられている。
【００２３】
本実施例の吸盤１は、大径椀体２Ａと小径椀体２Ｂとの間に形成される吸着部Ｋ１と小径椀体２Ｂの内部に形成される吸着部Ｋ２の２個の吸着部を有するので、強力な吸着力が発揮され、またＫ１、Ｋ２のいずれかの吸着部の吸着力が低下又は失われたとしても、他の吸着部により優れた吸着力が保持される。
【００２４】
実施例２
本実施例の吸盤１は、図２に示すように、大径椀体２Ａ、該大径椀体２Ａよりも小さい小径椀体２Ｂ、該小径椀体２Ｂよりも小さい小径椀体２Ｃが同心状に且つ一体的に成形され、小径椀体２Ｂの深さは大径椀体２Ａの深さよりも小さく、また小径椀体２Ｃの深さは小径椀体２Ｂの深さよりも小さく形成されている。また、頂部には、Ｃ型の凹孔５を有する係着部４が設けられている。
【００２５】
本実施例の吸盤１は、大径椀体２Ａと小径椀体２Ｂとの間に形成される吸着部Ｋ１、小径椀体２Ｂと小径椀体２Ｃとの間に形成される吸着部Ｋ２及び小径椀体２Ｃの内部に形成される吸着部Ｋ３の３個の吸着部を有するので、強力な吸着力が発揮され、また、Ｋ１、Ｋ２、Ｋ３のいずれか１個又は２個の吸着部の吸着力が低下又は失われたとしても、残りの吸着部により優れた吸着力が保持される。
【００２６】
実施例３
本実施例の吸盤１は、図３（ａ）、（ｂ）に示すように、実施例１の吸盤１において、大径椀体２Ａと小径椀体２Ｂとの間に形成される吸着部Ｋ１を仕切壁６により４個の小吸着部Ｋ１−１、Ｋ１−２、Ｋ１−３、Ｋ１−４に区画されている。
【００２７】
本実施例の場合は、実施例１の場合と同様に、Ｋ１、Ｋ２の２個の吸着部による効果の他に、吸着部Ｋ１が４個の小吸着部Ｋ１−１〜Ｋ１−４からなるので、これら４個の小吸着部の一部の吸着力が低下又は失われたとしても、残りの小吸着部の吸着力が保持され、全体として優れた吸着力が保持される効果が付加される。
【００２８】
実施例４
本実施例の吸盤１は、図４（ａ）、（ｂ）に示すように、実施例３の吸盤１において、小径椀体２Ｂの内部に形成される吸着部Ｋ２も仕切壁７により４個の小吸着部Ｋ２−１、Ｋ２−２、Ｋ２−３、Ｋ２−４に区画されている。
【００２９】
本実施例の場合は、実施例３の効果の他に、吸着部Ｋ２が４個の小吸着部Ｋ２−１〜Ｋ２−４からなるので、これら４個の小吸着部の一部の吸着力が低下又は失われてたとしても、残りの小吸着部の吸着力が保持され、全体として優れた吸着力が保持される効果が付加される。
【００３０】
実施例５
本実施例の吸盤１は、図５（ａ）、（ｂ）に示すように、小径椀体２Ｂの内部に形成される吸着部Ｋ２の仕切壁７の位置を変更した他は実施例４と同じで、作用効果も実施例４と略同じである。
【００３１】
応用例１
実施例１に示した吸盤１において、該吸盤１の係着部４の挿通孔３にフック８が挿通・係着されている。
【産業上の利用可能性】
【００３２】
叙上のとおり、本考案の吸盤は、複数個の吸着部により吸着されるので強力な吸着力を発揮し、例えば、被吸着面に粗面部があっても吸着可能であり、また、一部の吸着部の吸着力が低下したり、失われたりしたとしても、残りの吸着部が吸着力を保持するため、全体として優れた吸着力を保持することができる。また、本考案の吸盤は、極めて簡単な構造からなり、容易に製造できるので、安価で有用な吸盤を提供することができる。
【図面の簡単な説明】
【００３３】
【図１】本考案の実施例を示す断面図である。
【図２】本考案の実施例を示す断面図である。
【図３】本考案の実施例を示し、（ａ）は断面図、（ｂ）は底面図である。
【図４】本考案の実施例を示し、（ａ）は断面図、（ｂ）は底面図である。
【図５】本考案の実施例を示し、（ａ）は断面図、（ｂ）は底面図である。
【図６】本考案の応用例を示す断面図である。
【符号の説明】
【００３４】
１  吸盤
２Ａ  大径椀体
２Ｂ、２Ｃ  小径椀体
３  挿通孔
４  係着部
５  Ｃ型凹部
６  仕切壁
７  仕切壁
８  フック
Ｋ１、Ｋ２、Ｋ３  吸着部
Ｋ１−１、Ｋ１−２、Ｋ１−３、Ｋ１−４  小吸着部
Ｋ２−１、Ｋ２−２、Ｋ２−３、Ｋ２−４  小吸着部
【図１】
0003105275.tif 000003
【図２】
0003105275.tif 000004
【図３】
0003105275.tif 000005
【図４】
0003105275.tif 000006
【図５】
0003105275.tif 000007
【図６】
0003105275.tif 000008